(57)【要約】【課題】  必要に応じて、ボックスカバーを配線ボックスから容易に取外すことのできる配線ボックス装置を提供する。【解決手段】  一面を開口させ、内部に配線接続部を有する配線ボックス２と、この配線ボックス２の開口を開閉するボックスカバー３とからなり、前記ボックスカバー３はその裏面が前記配線ボックス２の開口面に当接した状態で前記配線ボックス２の開口面に対してスライド可能に設けられ、前記配線ボックス２には係合部１３，１４が設けられ、前記ボックスカバー３には、前記係合部１３，１４が係脱自在に係合する被係合部１５，１６を設け、前記開口面を閉じる方向へ向けて前記ボックスカバー３がスライドして前記係合部１３，１４が前記被係合部１５，１６に係合し、前記開口面を開く方向へ向けて前記ボックスカバー３がスライドして前記係合部１３，１４と前記被係合部１５，１６との係合が解除することにより、前記ボックスカバー３を前記配線ボックス２に対して着脱自在にしたことを特徴とするものである。【選択図】    図１
2005269866.tif 000002
【特許請求の範囲】
【請求項１】
一面を開口させ、内部に配線接続部を有する配線ボックスと、この配線ボックスの開口を開閉するボックスカバーとからなり、
前記ボックスカバーはその裏面が前記配線ボックスの開口面に当接した状態で前記配線ボックスの開口面に対してスライド可能に設けられ、前記配線ボックスには係合部が設けられ、前記ボックスカバーには、前記係合部が係脱自在に係合する被係合部を設け、
前記開口面を閉じる方向へ向けて前記ボックスカバーがスライドして前記係合部が前記被係合部に係合し、前記開口面を開く方向へ向けて前記ボックスカバーがスライドして前記係合部と前記被係合部との係合が解除することにより、前記ボックスカバーを前記配線ボックスに対して着脱自在にしたことを特徴とする配線ボックス装置。
【請求項２】
前記ボックスカバーは前記配線ボックスに対し、前記開口面を閉じる方向と開く方向とに向けて往復動可能であることを特徴とする請求項１に記載の配線ボックス装置。
【請求項３】
前記係合部は、前記スライド方向に直交する方向において互いに対面する位置の開口部外側に対を成して設けられ、前記被係合部は、前記スライド方向に直交する方向において互いに対面する位置のボックスカバー縁部に対を成して設けられたことを特徴とする請求項１又は請求項２に配線ボックス装置。
【請求項４】
前記配線ボックスの前記開口面の全開位置と全閉位置との間に、前記ボックスカバーを前記開口面にあてがうスライド開始位置が設けられ、
前記ボックスカバーは前記スライド開始位置と前記全閉位置との間においてスライド可能に設けられ、
前記ボックスカバーが前記全閉位置にある時、前記係合部と前記被係合部とが係合し、前記ボックスカバーが前記スライド開始位置にある時、前記係合部と前記被係合部との係合が解除することを特徴とする請求項２又は請求項３に記載の配線ボックス装置。
【請求項５】
前記開口面を閉じる方向へスライドして前記開口面を全閉にした前記ボックスカバーの当該方向へ向けた過度のスライドを禁止する第一閉止ロック部を設けたことを特徴とする請求項２乃至請求項４の何れか１項に記載の配線ボックス装置。
【請求項６】
前記開口面を閉じる方向へスライドして前記開口面を全閉にした前記ボックスカバーの戻り方向へ向けたスライドを禁止する第二閉止ロック部を設けたことを特徴とする請求項２乃至請求項４の何れか１項に記載の配線ボックス装置。
【請求項７】
前記開口の全閉状態において前記カバーボックスの移動を規制する閉止ロック部を備えたことを特徴とする請求項２乃至請求項４の何れか１項に記載の配線ボックス装置。
【請求項８】
前記ボックスカバーは前記配線ボックスに対して上下方向へスライド可能に設けられ、前記ボックスカバーは下方へスライドして前記配線ボックスの開口面を閉じ、且つ、上方へスライドして前記配線ボックスの開口面を開くことを特徴とする請求項５又は請求項７に記載の配線ボックス装置。
【請求項９】
前記配線ボックスの互いに対向する一対の壁には、前記ボックスカバーを取り付けるためのボス部が設けられ、前記ボックスカバーは一方のボス部が形成されている壁から他方のボス部が形成されている壁へ向けてスライド可能に設けられていることを特徴とする請求項５又は請求項７に記載の配線ボックス装置。
【発明の詳細な説明】
【技術分野】
【０００１】
本発明は、壁裏や二重天井内に設置されて、コンセント等の各種配線器具と配線との接続部や、配線と配線との接続部を収容する配線ボックス装置に関するものである。
【０００２】
この種の配線ボックス装置１００は、図９乃至図１１に示すように、建築構造物である支骨鉄筋１０１等にバー材１０２によって取り付けられた状態でコンクリートに埋設されて、コンセント等の各種配線器具と配線との接続部や、配線と配線との接続部を収容するために用いられる装置である。
【０００３】
特許文献１に記載の配線ボックス装置１００は、配線ボックス１０３とボックスカバー１０４とから開閉可能な箱状に形成されている。この配線ボックス装置１００は、配線ボックス１０３に対してボックスカバー１０４をワンタッチで取り付けできる特徴を有するものである。
【特許文献１】特開２００３−１６９４１３号公報  この配線ボックス装置１００は開口１０５を有する有底の箱状を成す配線ボックス１０３と該開口１０５を閉鎖するように該配線ボックス１０３に取り付けられるボックスカバー１０４とから構成されている。
【０００４】
前記配線ボックス１０３の開口１０５の周囲には、係合突起１０６が設けられている。又、前記ボックスカバ−１０４の裏面の周囲には、ほぼ全周に亘ってリブ１０７が形成されている。図１０に示すように、該リブ１０７の内面には、前記配線ボックス１０３に設けられた係合突起１０６が係合する係合溝１０８が形成されている。
【０００５】
そして、ボックスカバー１０４を配線ボックス１０３に取り付けるには、該ボックスカバー１０４を配線ボックス１０３の開口１０５に対面させ、且つ、配線ボックス１０３の係合突起１０６をボックスカバ１０４の係合溝１０８に一致させた状態で該ボックスカバー１０４を配線ボックス１０３に対して押込むだけで、ボックスカバー１０４を配線ボックス１０３にワンタッチで取り付けることができる。
【０００６】
次に、前述のように構成された配線ボックス装置１００をコンクリートに埋設する場合について説明する。先ず、図９に示すように、ボックスカバー１０４が組付けられる前の状態の配線ボックス１０３を支骨鉄筋１０１にバー材１０２によって取り付ける。その後、図１０に示すように、配線ボックス１０３のノックアウト部Ｎを打抜き、その打抜き孔にコネクタ１０９の雄ネジ部（図示せず）を挿入して、該雄ネジ部に配線ボックス１０３の内側からロックナット１１０を螺着する。これにより、該コネクタ１０９とロックナット１１０とによって配線ボックス１０３の側壁を挟持するようにして該コネクタ１０９を配線ボックス１０３に固定する。
【０００７】
次に、電線管１１１を前記コネクタ１０９内に挿通する。その後、該配線ボックス１０３の開口１０５を閉鎖するようにボックスカバー１０４を取り付ける。その後、図１１に示すように、配線ボックス装置１００を挟むように一対の型枠１１２,１１２を立設し、この型枠１１２,１１２の間にコンクリートを打設して、配線ボックス装置１００が埋設されるものである。そして、ボックスカバー１０４の開口１１２（図９に示す）から各種の配線器具を配線ボックス１０３内に配設する一方、前記電線管１１１内を挿通して配線されたケーブル（図示せず）に該配線器具を接続するものである。
【発明の開示】
【発明が解決しようとする課題】
【０００８】
ところで、実際の作業においては、図１０に示すように、配線ボックス１０３にボックスカバー１０４を取り付けた後になって、配線ボックス１０３へのコネクタ１０９及びロックナット１１０の取付けの忘れに気が付いたり、追加のケーブルを配線ボックス１０３内に引込むべく追加のコネクタ１０９及びロックナット１１０の取付けの必要が発生する場合がある。
【０００９】
このような場合には、先ず、図１０に示す状態において、配線ボックス１０３からボックスカバー１０４を取外した後、更に別のノックアウト部Ｎを打抜いて、打抜き孔を開口する。その後、該打抜き孔にコネクタ１０９の雄ネジ部を挿入して、該雄ネジ部に配線ボックス１０３の内側からロックナット１１０を螺着する。これにより、該コネクタ１０９とロックナット１１０とによって配線ボックス１０３の側壁を挟持するようにして該コネクタ１０９を配線ボックス１０３に固定する。
【００１０】
ところで、前述の従来技術においては、ボックスカバ−１０４を配線ボックス１０３に対して前側から押し込んで、ボックスカバー１０３の係合溝１０８と配線ボックス１０３の係合突起１０６とを強制的に係合させる構造のため、一旦係合したボックスカバー１０４を配線ボックス１０３から取外すには、図１０中、二点鎖線で示すように、配線ボックス１０３の背面側から配線ボックス１０３とボックスカバー１０４との隙間にドライバーＤの先端を差込んで、無理やり抉るようにして係合突起１０６と係合溝１０８との係合を解除しなければならない。
【００１１】
しかし、このような構造の従来技術においては、配線ボックス１０３からボックスカバー１０４が不用意に脱落する自体を防止するために、配線ボックス１０３とボックスカバー１０４との係合を強固にしなければならず、このため、前述のように、配線ボックス１０３からボックスカバー１０４を取外す必要が生じた場合には、ボックスカバー１０４を配線ボックス１０３から容易に取り外すことができず、作業上の妨げになるという問題があった。又、このような場合において、無理やり抉るようにして係合突起１０６と係合溝１０８との係合を解除しようとすると、配線ボックス装置１００自体が係合突起１０６と係合溝１０８との係合部分において、損傷するという問題があった。
【００１２】
又、前述の従来技術においては、前述のように、配線ボックス１０３の前側から該配線ボックス１０３にボックスカバー１０４を取り付ける一方、該配線ボックス１０３からボックスカバー１０４を取外す場合には、該配線ボックス１０３の背面側に回り込んで、背面側からドライバーＤを操作して、配線ボックス１０３からボックスカバー１０４を取外さなければならないが、図９乃至図１１に示すように、配線ボックス１０３の背面側には鉄筋１０１が縦横に組まれているため、作業者は縦横に組まれた鉄筋の隙間からドライバーＤを差込んで、ボックスカバー１０４を配線ボックス１０３から取外す作業をしなければならず、そのための作業がしずらいという問題点があった。
【００１３】
本発明は前述の従来技術の問題点に鑑みてなされたもので、その目的は、必要に応じて、ボックスカバーを配線ボックスから容易に取外すことのできる配線ボックス装置を提供するにある。
【課題を解決するための手段】
【００１４】
請求項１に記載の発明は、一面を開口させ、内部に配線接続部を有する配線ボックスと、この配線ボックスの開口を開閉するボックスカバーとからなり、前記ボックスカバーはその裏面が前記配線ボックスの開口面に当接した状態で前記配線ボックスの開口面に対してスライド可能に設けられ、前記配線ボックスには係合部が設けられ、前記ボックスカバーには、前記係合部が係脱自在に係合する被係合部を設け、前記開口面を閉じる方向へ向けて前記ボックスカバーがスライドして前記係合部が前記被係合部に係合し、前記開口面を開く方向へ向けて前記ボックスカバーがスライドして前記係合部と前記被係合部との係合が解除することにより、前記ボックスカバーを前記配線ボックスに対して着脱自在にしたことを特徴とするものである。
【００１５】
請求項２に記載の発明は、請求項１に記載の配線ボックス装置において、前記ボックスカバーは前記配線ボックスに対し、配線ボックスの開口面を閉じる方向と開く方向とに向けて往復動可能であることを特徴とするものである。
【００１６】
請求項３に記載の発明は、請求項１又は請求項２に記載の配線ボックス装置において、前記係合部は、前記スライド方向に直交する方向において互いに対面する位置の開口部外側に対を成して設けられ、前記被係合部は、前記スライド方向に直交する方向において互いに対面する位置のボックスカバー縁部に対を成して設けられたことを特徴とするものである。
【００１７】
請求項４に記載の発明は、請求項２又は請求項３に記載の配線ボックス装置において、前記配線ボックスの前記開口面の全開位置と全閉位置との間に、前記ボックスカバーを前記開口面にあてがうスライド開始位置が設けられ、前記ボックスカバーは前記スライド開始位置と前記全閉位置との間においてスライド可能に設けられ、前記ボックスカバーが前記全閉位置にある時、前記係合部と前記被係合部とが係合し、前記ボックスカバーが前記スライド開始位置にある時、前記係合部と前記被係合部との係合が解除することを特徴とするものである。
【００１８】
請求項５に記載の発明は、請求項２乃至請求項４の何れか１項に記載の配線ボックス装置において、前記開口面を閉じる方向へスライドして前記開口面を全閉にした前記ボックスカバーの当該方向へ向けた過度のスライドを禁止する第一閉止ロック部を設けたことを特徴とするものである。
【００１９】
請求項６に記載の発明は、請求項２乃至請求項４の何れか１項に記載の配線ボックス装置において、前記開口面を閉じる方向へスライドして前記開口面を全閉にした前記ボックスカバーの戻り方向へ向けたスライドを禁止する第二閉止ロック部を設けたことを特徴とするものである。
【００２０】
請求項７に記載の発明は、請求項２乃至請求項４の何れか１項に記載の配線ボックス装置において、前記開口の全閉状態において前記カバーボックスの移動を規制する閉止ロック部を備えたことを特徴とするものである。
【００２１】
請求項８に記載の発明は、請求項５又は請求項７に記載の配線ボックス装置において、前記ボックスカバーは前記配線ボックスに対して上下方向へスライド可能に設けられ、前記ボックスカバーは下方へスライドして前記配線ボックスの開口面を閉じ、且つ、上方へスライドして前記配線ボックスの開口面を開くことを特徴とするものである。
【００２２】
請求項９に記載の発明は、請求項５又は請求項７に記載の配線ボックス装置において、前記配線ボックスの互いに対向する一対の壁には、前記ボックスカバーを取り付けるためのボス部が設けられ、前記ボックスカバーは一方のボス部が形成されている壁から他方のボス部が形成されている壁へ向けてスライド可能に設けられていることを特徴とするものである。
【発明の効果】
【００２３】
請求項1に記載の発明によれば、配線ボックスの正面側においてボックスカバーをスライドすることにより、ボックスカバーを配線ボックスに対して容易に取り付け、取り外しできるため、配線ボックスに対してボックスカバーを取付け、取外すための作業性が良い。又、ボックスカバーは配線ボックスの開口面に沿ってスライドして、ボックスカバーの被係合部が配線ボックスの係合部に係脱する構成のため、ボックスカバーの被係合部を配線ボックスの係合部に係脱する際し、配線ボックスの開口面自体が、ボックスカバーのスライドをガイドするガイド面になって、前記被係合部と係合部とを円滑に、且つ良好に係合させることができる。
【００２４】
又、ボックスカバーは配線ボックスの開口面に沿ってスライドして、ボックスカバーの被係合部が配線ボックスの係合部に係脱する構成のため、ボックスカバーは配線ボックスの開口面側において該配線ボックスに対して取付け、取外しできる。従って、配線ボックスの背面側において鉄筋等が縦横に組まれていても、配線ボックスに対してボックスカバーを容易に取り付け、取外しできる。又、配線ボックスの開口面側にボックスカバーがスライドできるだけの狭いスペースさえあれば、ボックスカバーを配線ボックスに容易に取付け、取外しすることができる。更に、ボックスカバーを配線ボックスの開口面に沿ってスライドさせながら被係合部と係合部とを係合させる構造のため、該被係合部と係合部とは当該スライド方向に向けて係合する構造になる。このような形態の係合の場合、被係合部と係合部とは弾性的に係合する構造ではないため、非弾性部材で形成された配線ボックスとボックスカバーにも本発明を適用できるものである。
【００２５】
請求項２に記載の発明によれば、ボックスカバーの一側を摘んで該ボックスカバーを配線ボックスに対して押し、又、引くことによって往復動させるだけの簡易な作業で、該配線ボックスの開口面を開閉することができる。
【００２６】
請求項３に記載の発明によれば、スライド方向の両側において、ボックスカバーを安定感良く支持できる。
【００２７】
請求項４に記載の発明によれば、配線ボックスの開口に任意の位置にボックスカバーをあてがい、その位置からボックスカバーをスライドさせることができる構成のため、ボックカバーをスライドさせる距離が短くて済む。
【００２８】
請求項５に記載の発明によれば、ボックスカバーが配線ボックスの開口面を閉じる方向に向けてボックスカバーに対して外部から荷重が加わったとしても、ボックスカバーが配線ボックスに対して過度にスライドすることなく、ボックスカバーが配線ボックスの開口面を全閉している状態が維持される。
【００２９】
請求項６に記載の発明によれば、ボックスカバーが配線ボックスの開口面を開く方向に向けてボックスカバーに対して外部から荷重が加わったとしても、ボックスカバーが配線ボックスの開口面を全閉している状態が維持される。
【００３０】
請求項７に記載の発明によれば、ボックスカバーが配線ボックスの開口面を開く方向及び閉じる方向の何れの方向に向けてボックスカバーに対して外部から荷重が加わったとしても、ボックスカバーが配線ボックスの開口面を全閉している状態が維持される。
【００３１】
請求項８に記載の発明によれば、仮に、配線ボックス装置をコンクリート内に埋設して用いるような場合、ボックスカバーに該ボックスカバー自体の自重やコンクリートによる荷重が加わっても、ボックスカバーが配線ボックスの開口面を閉じている状態が維持される。
【００３２】
請求項９に記載の発明によれば、ボックスカバーが配線ボックスに対して上下方向へスライドして、被係合部と係合部とが係脱する。
【発明を実施するための最良の形態】
【００３３】
図１乃至図７は第1実施形態を示す。図１は、配線ボックス装置の分解斜視図、図２はボックスカバーの裏面図、図３は図2を矢示Ａ方向から観た図、図４は図2を矢示Ｂ方向から観た図、図５は配線ボックスとボックスカバーとの係脱を説明する図、図6は配線ボックスとボックスカバーとの取付を説明する図、図7は配線ボックス装置がコンクリートに埋設された状態を示す図である。
【００３４】
図１に示すように、この配線ボックス装置１は、建築構造物である支骨鉄筋１０１等にバー材１０２によって取り付けられた状態でコンクリートに埋設されて、コンセント等の配線器具と配線とを接続する際に用いられる装置である。
【００３５】
配線ボックス装置１は、配線ボックス２とボックスカバー３とを備えている。配線ボックス２は箱状に形成されている。配線ボックス２とボックスカバー３とは別体に設けられている。後述のように、ボックスカバー３は、配線ボックス２に対して矢示方向（矢示α―β方向）へスライド可能に設けられる構造になっている。該配線ボックス２の内部は、コンセントのような配線器具と配線とを接続し、又は、配線同士を接続するための接続用空間５になっている。配線ボックス２およびボックスカバー３は、合成樹脂で形成されることができる。
【００３６】
具体的には、前記配線ボックス２は、ボックスカバー３のスライド方向（矢示α―β方向）に沿って対向する先端壁６および後端壁７と、該スライド方向に直交する方向に互いに対向する一対の側壁８,８と底壁９とを備え、該底壁９と対向する面は開口面１０になっている。該開口面１０がボックスカバー３によってスライド可能に開閉するものである。
【００３７】
前記配線ボックス２の底壁９には、該配線ボックス２を前記支骨鉄筋１０１に取り付けるためのバー材１０２が挿通するバー材挿通部２ａが形成されている。配線ボックス２の後端壁７および側壁８にはノックアウト部１１が設けられている。このノックアウト部１１は必要に応じて打ち抜くことにより打ち抜き孔が開口するものである。この打抜き孔には、コネクタ１２（図６に示す）が接続されるものである。該コネクタ１２には、前記接続用空間５内に収容されている配線器具に接続するための配線を挿通する電線管Ｋが取付けられるものである。
【００３８】
図1に戻って、ボックスカバー３は、配線ボックス２の開口面１０に対応した形状で且つ該開口１０を閉鎖できる大きさである。
【００３９】
前記配線ボックス２には第一,第二係合部１３,１４が設けられ、前記ボックスカバー３には、第一,第二被係合部１５,１６が設けられている。これら第一,第二係合部１３,１４と第一,第二被係合部１５,１６とは、スライド可能に係合するものである。これら第一,第二係合部１３,１４と第一,第二被係合部１５,１６とがスライド可能に係合することにより、前記ボックスカバー３は、前記配線ボックス２の開口面１０をスライド可能に開閉できるものである。
【００４０】
前記第一係合部１３は、前記配線ボックス２の前記開口面１０の外側、即ち、二つの側壁８,８に互いに対向する位置に設けられている。又、前記第ニ係合部１４は、前記配線ボックス２の二つの側壁８,８に互いに対向する位置に設けられている。これら第一係合部１３と第二係合部１４は、前記ボックスカバー３のスライド方向に沿って間隔を開けて設けられている。
【００４１】
又、前述のように、ボックスカバー３に設けられた第一被係合部１５は図３に示すように、該ボックスカバー３の裏面３ａから突出するようにして、該ボックスカバー３のコーナーに設けられている。同図3に示すように、該第一被係合部１５は、該ボックスカバー３のコーナーに沿って曲折する曲折部１７と、該曲折部１７を挟んだ位置に形成された切欠部１８とスライドストッパ部１９とが設けられている。該切欠部１８と、ボックスカバー３の裏面３ａとによって有底のスライド溝２０が形成されるものである。該スライド溝２０は、該ボックスカバー３のスライド方向に沿って一側が差込口２０ａになり、他側がストッパ面２０ｂになっている。
【００４２】
又、図１に示すように、前記第二被係合部１６は、ボックスカバー３のスライド方向に沿って前記第一被係合部１５から間隔を開けた位置に設けられている。図４に示すように、第二被係合部１６は、スライド溝２１を有している。該スライド溝２１は、該ボックスカバー３のスライド方向に沿って一側が差込口２１ａになり、他側がストッパ面２１ｂになっている。
【００４３】
又、図１,図２に示すように、前記ボックスカバー３のスライド方向に沿って該ボックスカバー３の端縁３bと端縁３ｃには、突起２２,２３が形成されている。
【００４４】
ここで、図５に示すように、ボックスカバー３の第一被係合部１５のスライド溝２０内を配線ボックス２の第一係合部１３がスライドし、ボックスカバー３の第ニ被係合部１６のスライド溝２１内を配線ボックス２の第一係合部１４がスライドするもので、スライド溝２０,２１の長さだけ、ボックスカバー３は配線ボックス２に対してスライド可能である。ここで、図５に示すように、ボックスカバー３の第一被係合部１５のスライド溝２０の差込口２０ａが、配線ボックス２の第一係合部１３に宛がわれ、更に、ボックスカバー３の第ニ被係合部１６のスライド溝２１の差込口２１ａが、配線ボックス２の第ニ係合部１４に宛がわれた位置が、スライド開始位置である。
【００４５】
又、同図５に示す状態において、ボックスカバー３がα方向へスライドして、ボックスカバー３が配線ボックス２の開口面１０を完全に閉鎖した状態、即ち、全閉状態において、配線ボックス２の第一係合部１３がボックスカバー３の第一被係合部１５のストッパ面２０ｂに突き当たり、配線ボックス２の第ニ係合部１４がボックスカバー３の第ニ被係合部１６のストッパ面２１ｂに突き当たり、更に、配線ボックス２の後端壁７がボックスカバー３の第一被係合部１５のスライドストッパ部１９に突き当たるものである。その上、同図５に示すように、ボックスカバー３の突起２２，２２が配線ボックス２の後端壁７の外側に当接し、又、ボックスカバー３の突起２３が配線ボックス２の先端壁６の外側に当接することにより、該ボックスカバー３は、開口面１０を閉鎖した状態でロックされるものである。
【００４６】
ボックスカバー３の該突起２３は、該ボックスカバー３が閉鎖方向へスライドする動作に伴って、配線ボックス２の先端壁６を乗越えるようにして該先端壁６の外側に当接し、一方、該ボックスカバー３が開放方向へスライドする動作に伴って、配線ボックス２の先端壁６を乗越えるようにして該先端壁６との当接が解かれるものである。
【００４７】
前記第一,第二被係合部１５,１６のストッパ面２０ｂ,２１ｂ、スライドストッパ部１９、及び突起２２によって、請求項４に記載の第一閉止ロック部が構成される。又、前記突起２３によって、請求項５に記載の第二閉止ロック部が構成される。更に、前記第一,第二被係合部１５,１６のストッパ面２０ｂ,２１ｂ、スライドストッパ部１９、及び突起２２，２３によって、請求項６に記載の閉止ロック部が構成される。
【００４８】
又、図１に示すように、前記配線ボックス２の互いに対向する側壁、即ち、先端壁６と後端壁７には、互いに向かい合い位置に２対のボス部２b，２bが設けられ、ネジ孔２ｄが形成されている。又、ボックスカバー３には、該ボックスカバー３が前記配線ボックス２の開口面１０を全閉した状態で、該ネジ孔２ｄに連通するネジ挿通孔３ｃが形成され、ボックスカバー３は配線ボックス２にネジＰによってネジ止めされるようになっている。
【００４９】
次に、このように構成された配線ボックス２に対して、ボックスカバー３を取り付ける場合について説明する。先ず、図５に示すように、配線ボックス２の第一,第二係合部１３、１４と、ボックスカバー３の第一,第二被係合部１５,１６との位置をずらせた状態になるように、即ち、スライド開始位置において配線ボックス２の開口面１０にボックスカバー３をあてがう。次に、この状態からボックスカバー３を閉鎖方向（矢示α方向）へスライドさせると配線ボックス２の第一,第二係合部１３,１４がボックスカバー３の第一,第二被係合部１５,１６のスライド溝２０,２１に係合した状態で僅かスライドする。
【００５０】
そして、ボックスカバー３が配線ボックス２の開口面１０を完全に閉鎖した状態において、ボックスカバー３のスライドストッパ部１９が配線ボックス２の後端壁７に突き当たり、ボックスカバー３の第一,第二被係合部１５,１６の各ストッパ面２０ｂ,２１ｂが配線ボックス２の第一,第二係合部１３,１４に突き当たる。そして、この状態においては、ボックスカバー３の突起２２が配線ボックス２の後端壁７に当接し、又、ボックスカバー３の突起２３が配線ボックス２の先端壁６を乗越えて該先端壁６の外側に当接する。これによって、ボックスカバー３が配線ボックス２の開口面１０を閉鎖する状態が維持される。
【００５１】
次に、前述のように、配線ボックス２の開口面１０がボックスカバー３によって閉鎖された状態から、該ボックスカバー３をスライドさせて配線ボックス１の開口面１０を開放する場合について説明する。この場合、作業者が手でボックスカバー３の一側を摘み、該ボックスカバー３を開放方向（矢示β方向）へ押すと、ボックスカバー３の突起２３が配線ボックス２の先端壁６を乗越えるようにして開放方向へスライドして、配線ボックス２の開口面１０が開放する。
【００５２】
次に、図７に示すように、このような配線ボックス装置１をコンクリートに埋設する場合について説明する。尚、図６及び図7に示すように、既に、建築構造物である支骨鉄筋１０１等が設けられているものとする。この状態において、配線ボックス２のバー材挿通部２ａにバー材１０２を挿通し、該バー材１０２の両端を支骨鉄筋１０１等に結束することにより、該配線ボックス２を支骨鉄筋１０１等に固定する。
【００５３】
次に、配線ボックス２の先端壁６や側壁８に設けられたノックアウト部１１を必要に応じて打抜き、打抜き孔を開口した後、図６に示すように、該内抜き孔にコネクタ１２の雄ネジ部（図示せず）を挿入して、該雄ネジ部に配線ボックス２の内側からロックナット２４を螺着する。これにより、該コネクタ１２とロックナット２４とによって配線ボックス２の後端壁７又は図外の側壁８を挟持するようにして該コネクタ１２を配線ボックス２に固定する。その後、前述のようにして、配線ボックス２に対してボックスカバー３を取り付ける。
【００５４】
その後、仮に、更に多くの電線管を前記配線器具に接続する必要が生じた場合には、前述のように、配線ボックス２に対してボックスカバー３をスライドして、該ボックスカバー３を配線ボックス２から取外す。
【００５５】
その後、更に別の後端壁７又は側壁８のノックアウト部１１を打抜いて、打抜き孔を開口した後、該内抜き孔にコネクタ１２の雄ネジ部（図示せず）を挿入して、該雄ネジ部に配線ボックス２の内側からロックナット２４を螺着する。これにより、該コネクタ１２とロックナット２４とによって配線ボックス２の後端壁７、側壁８を挟持するようにして該コネクタ１２を配線ボックス２に固定する。次に、電線管を前記コネクタ１２内に挿通して設ける。そして、ボックスカバー３を配線ボックス２にネジＰによってネジ止めする。
【００５６】
以上説明した実施形態においては、ボックスカバー３を配線ボックス２に対して往復動可能にスライドして取付け、取外すことにより、ボックスカバー３の開口面１０が閉鎖し、又、開放するものである。
【００５７】
ところで、従来技術においては、図９乃至図１１において説明したように、ドライバーＤによって、ボックスカバー３を配線ボックス２から無理やり抉るようにして取外さなければならないが、本実施形態においては、ボックスカバー３を配線ボックス２に対してスライドさせるようにして容易に取外すことが出来るものである。
【００５８】
その後、配線ボックス装置１を挟む位置に一対の型枠２６,２６を立設し、これら型枠２６,２６の間にコンクリートを流し込むことにより、配線ボックス装置１をコンクリート内に埋設する。この場合、ボックスカバー３には、該ボックスカバー３自体の自重や、コンクリートの荷重が加わるが、これら自重や荷重は、前記閉止ロック部によって支持されるため、ボックスカバー３が配線ボックス２から外れる事態は防止される。
【００５９】
図８は、配線ボックス装置１を二重天井内に設けた第２実施形態を示す。この第２実施形態においては、上のフロアの床（図示せず）の下面と鉄骨Ｔとの間に取付けられた吊ボルトＶに配線ボックス２の裏面を取付けた状態で該配線ボックス２はニ重天井内に設けられるものである。そして、該配線ボックス２内において配線同士を結線した後、ボックスカバー３によって配線ボックス２を閉じるものである。この第２実施形態においては、ボックスカバー３が開口を有さない、いわゆる、ブランクタイプのボックスカバー３を配線ボックス２に対してスライドすることにより、配線ボックス２に対してボックスカバー３を容易に取付け、取外しできる上に第１実施形態と同様の作用効果を奏するものである。
【００６０】
尚、以上の実施形態においては、第一,第二係合部１３,１４を配線ボックス２に設け、第一,第二被係合部１５,１６をボックスカバー３に設けたが、第一,第二係合部１３,１４をボックスカバー３に設け、第一,第二被係合部１５,１６を配線ボックス２に設けても良い。
【図面の簡単な説明】
【００６１】
【図１】配線ボックス装置の分解斜視図である。（第1実施形態）
【図２】ボックスカバーの裏面図ある。        （第1実施形態）
【図３】図2を矢示Ａ方向から観た図ある。（第1実施形態）
【図４】図2を矢示Ｂ方向から観た図ある。（第1実施形態）
【図５】配線ボックスとボックスカバーとの係脱を説明する図ある。（第1実施形態）
【図６】配線ボックスとボックスカバーとの取付を説明する図ある。（第1実施形態）
【図７】配線ボックスとボックスカバーとの係脱を説明する図ある。（第1実施形態）
【図８】図８は、配線ボックス装置の分解斜視図である。（第２実施形態）
【図９】従来技術の配線ボックスの分解斜視図である。
【図１０】従来技術の配線ボックスの作用を説明する図である。
【図１１】従来技術の配線ボックスの作用を説明する図である。
【符号の説明】
【００６２】
１  配線ボックス装置
２  配線ボックス
３  ボックスカバー
１０  開口面
１３  第一係合部
１４  第二係合部
１５  第一被係合部
１６  第二被係合部
２２  突起
２３  突起
【図１】
2005269866.tif 000003
【図２】
2005269866.tif 000004
【図３】
2005269866.tif 000005
【図４】
2005269866.tif 000006
【図５】
2005269866.tif 000007
【図６】
2005269866.tif 000008
【図７】
2005269866.tif 000009
【図８】
2005269866.tif 000010
【図９】
2005269866.tif 000011
【図１０】
2005269866.tif 000012
【図１１】
2005269866.tif 000013
【手続補正書】
【提出日】平成16年7月30日(2004.7.30)
【手続補正１】
【補正対象書類名】特許請求の範囲
【補正対象項目名】全文
【補正方法】変更
【補正の内容】
【特許請求の範囲】
【請求項１】
一面に開口を有する箱状の配線ボックスと、前記配線ボックスの開口面を閉鎖すべく該ボックスに取着されるボックスカバーとからなる配線ボックス装置であって、
前記配線ボックスには、互いに対向する一対の側壁に、一対の第一係合部および第二係合部がそれぞれ間隔をおいて形成され、前記ボックスカバーには、前記第一係合部及び第二係合部にそれぞれ係合する、一対の第一被係合部および第二被係合部が間隔をおいて形成され、
前記ボックスカバーは、前記第一被係合部又は第二被係合部が前記ボックスの第一係合部と第二係合部との間に配置されるように、該カバーの裏面が該ボックスの開口側から該ボックスの開口面に当接して宛がわれるスライド開始位置から、前記開口面に沿ってスライドすることにより、前記第一係合部及び第二係合部が、前記第一被係合部及び第二被係合部に係合して、前記開口を閉鎖すべく該ボックスに取着可能に取付けられ、
前記ボックスカバーは、前記配線ボックスに取着された位置から前記スライド開始位置までスライドすることにより、前記第一係合部及び第二係合部と、前記第一被係合部及び第二被係合部との係合を解除して、前記開口を開放すべく該ボックスから取外し可能であることを特徴とする配線ボックス装置。
【請求項２】
一面に開口を有する箱状の配線ボックスと、前記配線ボックスの開口面を閉鎖すべく該ボックスに取着されるボックスカバーとからなる配線ボックス装置であって、
前記配線ボックスには、互いに対向する一対の側壁の外側に、一対の第一係合部及び第二係合部がそれぞれ間隔をおいて突出して設けられ、
前記ボックスカバーには、前記第一係合部及び第二係合部にそれぞれ係合するスライド溝を有する、一対の第一被係合部及び第二被係合部が間隔をおいて裏面から突出して設けられ、
前記ボックスカバーは、前記両被係合部と両係合部との位置をずらせて前記ボックスの開口面に宛がわれた状態であって、前記両被係合部のスライド溝の差込口が前記両係合部に宛がわれるスライド開始位置から、前記開口面に沿ってスライドすることにより、前記第一係合部及び第二係合部が、前記第一被係合部及び第二被係合部に係合して、前記開口を閉鎖すべく該ボックスに取着可能に設けられ、
前記ボックスカバーは、前記配線ボックスに取着された位置から前記スライド開始位置までスライドすることにより、前記第一係合部及び第二係合部と、前記第一被係合部及び第二被係合部との係合を解除して、前記開口を開放すべく該ボックスから取外し可能であることを特徴とする配線ボックス装置。
【請求項３】
前記配線ボックスは壁内に設置され、前記配線ボックスに取着されたボックスカバーは、コンセント等の配線器具を壁表から壁内の配線ボックス内に配設するための開口を有してなる請求項１又は請求項２に記載の配線ボックス装置。
【請求項４】
前記ボックスカバーは、前記配線ボックスの開口面を全閉するブランクタイプに設けられ、
前記配線ボックスは、二重天井内に設置された状態で、開口面を開閉すべく、前記ボックスカバーが着脱自在であることを特徴とする請求項１又は請求項２に記載の配線ボックス装置。
【請求項５】
前記ボックスカバーの第一被係合部又は第二被係合部のいずれか一方には、該カバーのコーナー部に沿って曲折部と、該曲折部を挟んだ位置に形成されるスライドストッパが設けられてなる請求項１乃至請求項４の何れか1項に記載の配線ボックス装置。
【請求項６】
前記開口面を閉じる方向へスライドして前記開口面を前閉にした前記ボックスカバーの当該方向へ向けた過度のスライドを禁止する第一閉止ロック部を設けたことを特徴とする請求項１乃至請求項５の何れか1項に記載の配線ボックス装置。
【請求項７】
前記開口面を閉じる方向へスライドして前記開口面を全閉にした前記ボックスカバーの戻り方向へ向けたスライドを禁止する第二閉止ロック部を設けたことを特徴とする請求項１乃至請求項６の何れか1項に記載の配線ボックス装置。
【請求項８】
前記開口の全閉状態において前記ボックスカバーの移動を規制する閉止ロック部を備えたことを特徴とする請求項１乃至請求項７の何れか1項に記載の配線ボックス装置。
【請求項９】
前記ボックスカバーは前記配線ボックスに対して上下方向へスライド可能に設けられ、前記ボックスカバーは下方へスライドして前記配線ボックスの開口面を閉じ、且つ、上方へスライドして前記配線ボックスの開口面を開くことを特徴とする請求項１乃至請求項８の何れか1項に記載の配線ボックス装置。
【請求項１０】
前記配線ボックスの互いに対向する一対の壁には、前記ボックスカバーを取り付けるためのボス部が設けられ、前記ボックスカバーは一方のボス部が形成されている壁から他方のボス部が形成されている壁へ向けてスライド可能に設けられていることを特徴とする請求項１乃至請求項９の何れか1項に記載の配線ボックス装置。
【手続補正２】
【補正対象書類名】明細書
【補正対象項目名】００１４
【補正方法】変更
【補正の内容】
【００１４】
請求項１に記載の発明は、一面に開口を有する箱状の配線ボックスと、前記配線ボックスの開口面を閉鎖すべく該ボックスに取着されるボックスカバーとからなる配線ボックス装置であって、
前記配線ボックスには、互いに対向する一対の側壁に、一対の第一係合部および第二係合部がそれぞれ間隔をおいて形成され、前記ボックスカバーには、前記第一係合部及び第二係合部にそれぞれ係合する、一対の第一被係合部および第二被係合部が間隔をおいて形成され、
前記ボックスカバーは、前記第一被係合部又は第二被係合部が前記ボックスの第一係合部と第二係合部との間に配置されるように、該カバーの裏面が該ボックスの開口側から該ボックスの開口面に当接して宛がわれるスライド開始位置から、前記開口面に沿ってスライドすることにより、前記第一係合部及び第二係合部が、前記第一被係合部及び第二被係合部に係合して、前記開口を閉鎖すべく該ボックスに取着可能に取付けられ、
前記ボックスカバーは、前記配線ボックスに取着された位置から前記スライド開始位置までスライドすることにより、前記第一係合部及び第二係合部と、前記第一被係合部及び第二被係合部との係合が解除して、前記開口を開放すべく該ボックスから取外し可能であることを特徴とする配線ボックス装置である。
【手続補正３】
【補正対象書類名】明細書
【補正対象項目名】００１５
【補正方法】変更
【補正の内容】
【００１５】
請求項２に記載の発明は、一面に開口を有する箱状の配線ボックスと、前記配線ボックスの開口面を閉鎖すべく該ボックスに取着されるボックスカバーとからなる配線ボックス装置であって、
前記配線ボックスには、互いに対向する一対の側壁の外側に、一対の第一係合部および第二係合部がそれぞれ間隔をおいて突出して設けられ、
前記ボックスカバーには、前記第一係合部及び第二係合部にそれぞれ係合するスライド溝を有する、一対の第一被係合部及び第二被係合部が間隔をおいて裏面から突出して設けられ、
前記ボックスカバーは、前記両被係合部と両係合部との位置をずらせて前記ボックスの開口面に宛がわれた状態であって、前記両被係合部のスライド溝の差込口が前記両係合部に宛がわれるスライド開始位置から、前記開口面に沿ってスライドすることにより、前記第一係合部及び第二係合部が、前記第一被係合部及び第二被係合部に係合して、前記開口を閉鎖すべく該ボックスに取着可能に設けられ、
前記ボックスカバーは、前記配線ボックスに取着された位置から前記スライド開始位置までスライドすることにより、前記第一係合部及び第二係合部と、前記第一被係合部及び第二被係合部との係合が解除して、前記開口を開放すべく該ボックスから取外し可能であることを特徴とするることを特徴とする配線ボックス装置である。
【手続補正４】
【補正対象書類名】明細書
【補正対象項目名】００１６
【補正方法】変更
【補正の内容】
【００１６】
請求項３に記載の発明は、請求項１又は請求項２に記載の配線ボックス装置において、前記配線ボックスは壁内に設置され、前記配線ボックスに取着されたボックスカバーは、コンセント等の配線器具を壁表から壁内の配線ボックス内に配設するための開口を有してなるものである。
【手続補正５】
【補正対象書類名】明細書
【補正対象項目名】００１７
【補正方法】変更
【補正の内容】
【００１７】
請求項４に記載の発明は、請求項１乃至請求項３の何れか１項に記載の配線ボックス装置において、前記ボックスカバーは、前記配線ボックスの開口面を全閉にするブランクタイプに設けられ、
前記配線ボックスは、二重天井内に設置された状態で、開口面を開閉すべく、前記ボックスカバーが着脱自在であることを特徴とするものである。
【手続補正６】
【補正対象書類名】明細書
【補正対象項目名】００１８
【補正方法】変更
【補正の内容】
【００１８】
請求項５に記載の発明は、請求項１乃至請求項４の何れか１項に記載の配線ボックス装置において、前記ボックスカバーの第一被係合部又は第二被係合部のいずれか一方には、該カバーのコーナー部に沿って曲折部と、該曲折部を挟んだ位置に形成されるスライドストッパが設けられてなるものである。
【手続補正７】
【補正対象書類名】明細書
【補正対象項目名】００１９
【補正方法】変更
【補正の内容】
【００１９】
請求項６に記載の発明は、請求項１乃至請求項５の何れか1項に記載の配線ボックス装置において、前記開口面を閉じる方向へスライドして前記開口面を前閉にした前記ボックスカバーの当該方向へ向けた過度のスライドを禁止する第一閉止ロック部を設けたことを特徴とするものである。
【手続補正８】
【補正対象書類名】明細書
【補正対象項目名】００２０
【補正方法】変更
【補正の内容】
【００２０】
請求項７に記載の発明は、請求項１乃至請求項６の何れか1項に記載の配線ボックス装置において、前記開口面を閉じる方向へスライドして前記開口面を全閉にした前記ボックスカバーの戻り方向へ向けたスライドを禁止する第二閉止ロック部を設けたことを特徴とするものである。
【手続補正９】
【補正対象書類名】明細書
【補正対象項目名】００２１
【補正方法】変更
【補正の内容】
【００２１】
請求項８に記載の発明は、請求項１乃至請求項７の何れか1項に記載の配線ボックス装置において、前記開口の全閉状態において前記ボックスカバーの移動を規制する閉止ロック部を備えたことを特徴とするものである。
【手続補正１０】
【補正対象書類名】明細書
【補正対象項目名】００２２
【補正方法】変更
【補正の内容】
【００２２】
請求項９に記載の発明は、請求項１乃至請求項８の何れか1項に記載の配線ボックス装置において、前記ボックスカバーは前記配線ボックスに対して上下方向へスライド可能に設けられ、前記ボックスカバーは下方へスライドして前記配線ボックスの開口面を閉じ、且つ、上方へスライドして前記配線ボックスの開口面を開くことを特徴とするものである。
請求項１０に記載の発明は、請求項１乃至請求項９の何れか1項に記載の配線ボックス装置において、前記配線ボックスの互いに対向する一対の壁には、前記ボックスカバーを取り付けるためのボス部が設けられ、前記ボックスカバーは一方のボス部が形成されている壁から他方のボス部が形成されている壁へ向けてスライド可能に設けられていることを特徴とするものである。
【手続補正１１】
【補正対象書類名】明細書
【補正対象項目名】００２３
【補正方法】変更
【補正の内容】
【００２３】
請求項１に記載の発明によれば、ボックスカバーの裏面を配線ボックスの開口面に当接させる際、ボックスカバーの第一被係合部又は第二被係合部を、配線ボックスの第一係合部と第二係合部との間に宛がうことにより、ボックスカバーを配線ボックスの開口面に沿って僅かスライドさせて、第一係合部と第二係合部を、第一被係合部と第二被係合部に係合させることにより、ボックスカバーは前記開口を閉鎖すべく配線ボックスに取着される。又、ボックスカバーを戻り方向へスライドすることにより、前記第一係合部と第二係合部と、前記第一被係合部と第二被係合部との係合が解除されることにより、該ボックスカバーは配線ボックスから取外される。
【手続補正１２】
【補正対象書類名】明細書
【補正対象項目名】００２５
【補正方法】変更
【補正の内容】
【００２５】
請求項２に記載の発明によれば、配線ボックスの一対の側壁の外側に突出している第一係合部及び第二係合部を、ボックスカバーの第一被係合部及び第二被係合部に設けられているスライド溝の差込口に宛がった後、前記第一係合部及び第二係合部を前記スライド溝をスライドさせることにより、ボックスカバーは配線ボックスの開口を閉じ、又、ボックスカバーを戻り方向へスライドさせることにより、配線ボックスの開口を開く。
【手続補正１３】
【補正対象書類名】明細書
【補正対象項目名】００２６
【補正方法】変更
【補正の内容】
【００２６】
請求項３に記載の発明によれば、配線ボックスを壁内に設置される。該配線ボックスにはボックスカバーが取着される。該ボックスカバーには、開口が形成されている。コンセント等の配線器具は、壁表側からボックスカバーの開口内に配設される。
【手続補正１４】
【補正対象書類名】明細書
【補正対象項目名】００２７
【補正方法】変更
【補正の内容】
【００２７】
請求項４に記載の発明によれば、配線ボックスの開口面を全閉にするブランクタイプのボックスカバーを備えた配線ボックス装置を二重天井内に設置し、該配線ボックス装置の配線ボックスの開口面を二重天井内で開閉することができる。
【手続補正１５】
【補正対象書類名】明細書
【補正対象項目名】００２８
【補正方法】変更
【補正の内容】
【００２８】
請求項５に記載の発明によれば、ボックスカバーのコーナー部の第一被係合部又は第二被係合部の何れか一方に設けられるスライドストッパに配線ボックスの第一係合部又は第二係合部が当たって、ボックスカバーのスライドが規制される。
【手続補正１６】
【補正対象書類名】明細書
【補正対象項目名】００２９
【補正方法】変更
【補正の内容】
【００２９】
請求項６に記載の発明によれば、ボックスカバーが配線ボックスの開口面を開く方向に向けてボックスカバーに対して外部から荷重が加わったとしても、ボックスカバーが配線ボックスに対して過度にスライドすることなく、ボックスカバーが配線ボックスの開口を全閉にしている状態が維持される。
【手続補正１７】
【補正対象書類名】明細書
【補正対象項目名】００３０
【補正方法】変更
【補正の内容】
【００３０】
請求項７に記載の発明によれば、ボックスカバーが配線ボックスの開口面を開く方向に向けてボックスカバーに対して外部から荷重が加わったとしても、ボックスカバーが配線ボックスの開口面を全閉している状態が維持される。
【手続補正１８】
【補正対象書類名】明細書
【補正対象項目名】００３１
【補正方法】変更
【補正の内容】
【００３１】
請求項８に記載の発明によれば、ボックスカバーが配線ボックスの開口面を開く方向及び閉じる方向の何れの方向に向けてボックスカバーに対して外部から荷重が加わったとしても、ボックスカバーが開口面を閉じている状態が維持される。
【手続補正１９】
【補正対象書類名】明細書
【補正対象項目名】００３２
【補正方法】変更
【補正の内容】
【００３２】
請求項９に記載の発明によれば、仮に、配線ボックス装置をコンクリート内に埋設して用いるような場合、ボックスカバーに該ボックスカバー自体の自重やコンクリートによる荷重が加わっても、ボックスカバーが開口面を閉じている状態が維持される。
又、請求項１０に記載の発明によれば、ボックスカバーが配線ボックスに対して上下方向へスライドして、被係合部と係合部とが係合する。
【手続補正書】
【提出日】平成17年1月4日(2005.1.4)
【手続補正１】
【補正対象書類名】特許請求の範囲
【補正対象項目名】全文
【補正方法】変更
【補正の内容】
【特許請求の範囲】
【請求項１】
一面に開口を有する箱状の配線ボックスと、前記配線ボックスの開口面を閉鎖すべく該ボックスに取着されるボックスカバーとからなる配線ボックス装置であって、
前記配線ボックスには、互いに対向する一対の側壁の外側に、一対の第一係合部及び第二係合部がそれぞれ間隔をおいて突出して設けられ、
前記ボックスカバーには、前記第一係合部及び第二係合部にそれぞれ係合するスライド溝を有する、一対の第一被係合部及び第二被係合部が間隔をおいて裏面から突出して設けられ、
該スライド溝は、一端が差込口で他端がストッパ面になり、
前記ボックスカバーは、前記両被係合部と両係合部との位置をずらせて前記ボックスの開口面に宛がわれた状態であって、前記両係合部が前記両被係合部のスライド溝の差込口に宛がわれるスライド開始位置から、前記開口面に沿ってスライドして、前記両係合部が前記ストッパ面に突き当たることにより、前記第一係合部及び第二係合部が、前記第一被係合部及び第二被係合部に係合して、前記開口を閉鎖すべく該ボックスに取着可能に設けられ、
前記ボックスカバーは、前記配線ボックスに取着された位置から前記スライド開始位置までスライドすることにより、前記第一係合部及び第二係合部と、前記第一被係合部及び第二被係合部との係合を解除して、前記開口を開放すべく該ボックスから取外し可能であることを特徴とすることを特徴とする配線ボックス装置。
【請求項２】
前記配線ボックスは壁内に設置され、前記配線ボックスに取着されたボックスカバーは、コンセント等の配線器具を壁表から壁内の配線ボックス内に配設するための開口を有してなる請求項１に記載の配線ボックス装置。
【請求項３】
前記ボックスカバーは、前記配線ボックスの開口面を全閉するブランクタイプに設けられ、
前記配線ボックスは、二重天井内に設置された状態で、開口面を開閉すべく、前記ボックスカバーが着脱自在であることを特徴とする請求項１に記載の配線ボックス装置。
【請求項４】
前記ボックスカバーの第一被係合部又は第二被係合部のいずれか一方には、該カバーのコーナー部に沿って曲折部と、該曲折部を挟んだ位置に形成されるスライドストッパ部が設けられてなる請求項１乃至請求項３の何れか1項に記載の配線ボックス装置。
【請求項５】
前記開口面を閉じる方向へスライドして前記開口面を全閉にした前記ボックスカバーの戻り方向へ向けたスライドを禁止する第二閉止ロック部を設けたことを特徴とする請求項１乃至請求項４の何れか1項に記載の配線ボックス装置。
【請求項６】
前記ボックスカバーは前記配線ボックスに対して上下方向へスライド可能に設けられ、前記ボックスカバーは下方へスライドして前記配線ボックスの開口面を閉じ、且つ、上方へスライドして前記配線ボックスの開口面を開くことを特徴とする請求項１乃至請求項５の何れか1項に記載の配線ボックス装置。
【請求項７】
前記配線ボックスの互いに対向する一対の壁には、前記ボックスカバーを取り付けるためのボス部が設けられ、前記ボックスカバーは一方のボス部が形成されている壁から他方のボス部が形成されている壁へ向けてスライド可能に設けられていることを特徴とする請求項１乃至請求項６の何れか1項に記載の配線ボックス装置。
【手続補正２】
【補正対象書類名】明細書
【補正対象項目名】００１４
【補正方法】変更
【補正の内容】
【００１４】
請求項１に記載の発明は、一面に開口を有する箱状の配線ボックスと、前記配線ボックスの開口面を閉鎖すべく該ボックスに取着されるボックスカバーとからなる配線ボックス装置であって、
前記配線ボックスには、互いに対向する一対の側壁の外側に、一対の第一係合部及び第二係合部がそれぞれ間隔をおいて突出して設けられ、
前記ボックスカバーには、前記第一係合部及び第二係合部にそれぞれ係合するスライド溝を有する、一対の第一被係合部及び第二被係合部が間隔をおいて裏面から突出して設けられ、
該スライド溝は、一端が差込口で他端がストッパ面になり、前記ボックスカバーは、前記両被係合部と両係合部との位置をずらせて前記ボックスの開口面に宛がわれた状態であって、前記両係合部が前記両被係合部のスライド溝の差込口に宛がわれるスライド開始位置から、前記開口面に沿ってスライドして、前記両係合部が前記ストッパ面に突き当たることにより、前記第一係合部及び第二係合部が、前記第一被係合部及び第二被係合部に係合して、前記開口を閉鎖すべく該ボックスに取着可能に設けられ、
前記ボックスカバーは、前記配線ボックスに取着された位置から前記スライド開始位置までスライドすることにより、前記第一係合部及び第二係合部と、前記第一被係合部及び第二被係合部との係合を解除して、前記開口を開放すべく該ボックスから取外し可能であることを特徴とすることを特徴とするものである。
【手続補正３】
【補正対象書類名】明細書
【補正対象項目名】００１５
【補正方法】変更
【補正の内容】
【００１５】
請求項２に記載の発明は、請求項１に記載の発明において、配線ボックスは壁内に設置され、前記配線ボックスに取着されたボックスカバーは、コンセント等の配線器具を壁表から壁内の配線ボックス内に配設するための開口を有してなることを特徴とするものである。
【手続補正４】
【補正対象書類名】明細書
【補正対象項目名】００１６
【補正方法】変更
【補正の内容】
【００１６】
請求項３に記載の発明は、請求項１に記載の発明において、ボックスカバーは、前記配線ボックスの開口面を全閉するブランクタイプに設けられ、
前記配線ボックスは、二重天井内に設置された状態で、開口面を開閉すべく、前記ボックスカバーが着脱自在であることを特徴とするものである。
【手続補正５】
【補正対象書類名】明細書
【補正対象項目名】００１７
【補正方法】変更
【補正の内容】
【００１７】
請求項４に記載の発明は、請求項１乃至請求項３の何れか1項に記載の発明において、ボックスカバーの第一被係合部又は第二被係合部のいずれか一方には、該カバーのコーナー部に沿って曲折部と、該曲折部を挟んだ位置に形成されるスライドストッパ部が設けられてなることを特徴とするものである。
【手続補正６】
【補正対象書類名】明細書
【補正対象項目名】００１８
【補正方法】変更
【補正の内容】
【００１８】
請求項５に記載の発明は、請求項１乃至請求項４の何れか1項に記載の発明において、前記開口面を閉じる方向へスライドして前記開口面を全閉にした前記ボックスカバーの戻り方向へ向けたスライドを禁止する第二閉止ロック部を設けたことを特徴とするものである。
【手続補正７】
【補正対象書類名】明細書
【補正対象項目名】００１９
【補正方法】変更
【補正の内容】
【００１９】
請求項６に記載の発明は、請求項１乃至請求項５の何れか1項に記載の発明において、前記ボックスカバーは前記配線ボックスに対して上下方向へスライド可能に設けられ、前記ボックスカバーは下方へスライドして前記配線ボックスの開口面を閉じ、且つ、上方へスライドして前記配線ボックスの開口面を開くことを特徴とするものである。
【手続補正８】
【補正対象書類名】明細書
【補正対象項目名】００２０
【補正方法】変更
【補正の内容】
【００２０】
請求項７に記載の発明は、請求項１乃至請求項６の何れか1項に記載の発明において、前記配線ボックスの互いに対向する一対の壁には、前記ボックスカバーを取り付けるためのボス部が設けられ、前記ボックスカバーは一方のボス部が形成されている壁から他方のボス部が形成されている壁へ向けてスライド可能に設けられていることを特徴とするものである。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
請求項１に記載の発明によれば、ボックスカバーは、両係合部と両被係合部との位置をずらせて配線ボックスの開口面に宛がわれた状態であって、両係合部が両被係合部のスライド溝の差込口に宛がわれるスライド開始位置から、前記開口面に沿ってスライドして、両係合部がストッパ面に突き当たることにより、両係合部が両被係合部に係合して開口を閉鎖すべく配線ボックスに取着される。
【手続補正１２】
【補正対象書類名】明細書
【補正対象項目名】００２５
【補正方法】変更
【補正の内容】
【００２５】
請求項２に記載の発明によれば、配線ボックスは壁内に設置される。該配線ボックスには、ボックスカバーが取着される。該ボックスカバーには、開口が形成されている。コンセント等の配線器具は、壁表側からボックスカバーの開口内に配設される。
【手続補正１３】
【補正対象書類名】明細書
【補正対象項目名】００２６
【補正方法】変更
【補正の内容】
【００２６】
請求項３に記載の発明によれば、配線ボックスの開口面を全閉にするブランクタイプのボックスカバーを備えた配線ボックス装置を二重天井内に設置し、該配線ボックス装置の配線ボックスの開口面を二重天井内で開閉することができる。
【手続補正１４】
【補正対象書類名】明細書
【補正対象項目名】００２７
【補正方法】変更
【補正の内容】
【００２７】
請求項４に記載の発明によれば、ボックスカバーのコーナー部の第一被係合部又は第二被係合部の何れか一方に設けられるスライドストッパ部に配線ボックスの第一係合部又は第二係合部が当たって、ボックスカバーのスライドが規制される。
【手続補正１５】
【補正対象書類名】明細書
【補正対象項目名】００２８
【補正方法】変更
【補正の内容】
【００２８】
請求項５に記載の発明によれば、配線ボックスの開口面を開く方向に向けてボックスカバーに対して外部から荷重が加わったとしても、ボックスカバーが配線ボックスに対して過度にスライドすることなく、ボックスカバーが配線ボックスの開口を全閉にしている状態が維持される。
【手続補正１６】
【補正対象書類名】明細書
【補正対象項目名】００２９
【補正方法】変更
【補正の内容】
【００２９】
請求項６に記載の発明によれば、仮に、配線ボックス装置をコンクリート内に埋設して用いるような場合、ボックスカバーに該ボックスカバー自体の自重やコンクリートによる荷重が加わっても、ボックスカバーが開口面を閉じている状態が維持される。
【手続補正１７】
【補正対象書類名】明細書
【補正対象項目名】００３０
【補正方法】変更
【補正の内容】
【００３０】
請求項７に記載の発明によれば、ボックスカバーは、一方のボス部が形成されている壁から他方のボス部が形成されている壁へ向けてスライドすることができる。
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】